【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
利用者を撮影する撮影手段と、
撮影画像を表示する表示手段と、
前記表示手段の表示画面に対して前記利用者が操作入力を行うための入力手段と、
前記各手段を制御する制御手段と、を備えており、
前記制御手段は、
前記撮影画像から、第１の利用者と第２の利用者を識別する識別処理と、
前記利用者の画像に施す補正処理の内容を選択するための前記操作入力に基づいて、前記第１及び第２の利用者ごとにその補正処理の内容を決定する決定処理と、
前記撮影手段による複数回の撮影によって得られた複数の前記撮影画像に含まれる前記利用者の画像のうち、前記第１の利用者の画像に、前記第１の利用者について決定した内容の補正処理を施し、前記第２の利用者の画像に、前記第２の利用者について決定した内容の補正処理を施す画像処理と、を実行し、
前記制御手段は、前記決定処理において、
前記第１の利用者の画像に対する補正処理の内容を選択する前記操作入力と、前記第２の利用者の画像に対する補正処理の内容を選択する前記操作入力と、を個別に行うための操作画面を、前記表示手段に表示させ、
前記制御手段は、
前記操作画面として、前記第１及び第２の利用者の画像と、前記第１の利用者の画像に施す補正処理の内容を選択するための第１の選択画面と、前記第２の利用者の画像に施す補正処理の内容を選択するための第２の選択画面とを、前記表示手段に表示させ、
前記第１の選択画面に対して行われる前記操作入力によって補正処理の内容が変更されるごとに、変更後の補正内容を前記第１の利用者の画像に反映して表示させ、
前記第２の選択画面に対して行われる前記操作入力によって補正処理の内容が変更されるごとに、変更後の補正内容を前記第２の利用者の画像に反映して表示させるように、前記表示手段を制御することを特徴とする遊戯用撮影装置。
【請求項２】
前記制御手段は、
前記第１の利用者の画像に対応した位置に前記第１の選択画面が表示され、前記第２の利用者の画像に対応した位置に前記第２の選択画面が表示されるように、前記表示手段を制御する請求項１に記載の遊戯用撮影装置。
【請求項３】
前記制御手段は、
前記撮影手段による撮影中の前記利用者の動画を表示する動画表示領域と、顔が枠内に収まるように前記利用者を前記動画表示領域内の所定位置に誘導する顔位置ガイドが表示されるように、前記表示手段を制御する請求項１又は２に記載の遊戯用撮影装置。
【請求項４】
前記撮影手段による撮影が行われる撮影空間において、前記利用者の画像に施す補正処理の内容を選択するための前記操作入力を行わせる請求項１〜３のいずれか１項に記載の遊戯用撮影装置。
【請求項５】
前記利用者が前記撮影画像の編集作業を行うための編集空間において、前記利用者の画像に施す補正処理の内容を選択するための前記操作入力を行わせる請求項１〜４のいずれか１項に記載の遊戯用撮影装置。
【請求項６】
利用者を撮影する撮影手段と、撮影画像を表示する表示手段と、前記表示手段の表示画面に対して前記利用者が操作入力を行うための入力手段と、前記各手段を制御する制御手段と、を備えた装置の前記制御手段が実行する遊戯用撮影方法であって、
前記撮影画像から、第１の利用者と第２の利用者を識別する識別ステップと、
前記利用者の画像に施す補正処理の内容を選択するための前記操作入力に基づいて、前記第１及び第２の利用者ごとにその補正処理の内容を決定する決定ステップと、
前記撮影手段による複数回の撮影によって得られた複数の前記撮影画像に含まれる前記利用者の画像のうち、前記第１の利用者の画像に、前記第１の利用者について決定した内容の補正処理を施し、前記第２の利用者の画像に、前記第２の利用者について決定した内容の補正処理を施す画像処理ステップと、を含み、
前記制御手段は、前記決定ステップにおいて、
前記第１の利用者の画像に対する補正処理の内容を選択する前記操作入力と、前記第２の利用者の画像に対する補正処理の内容を選択する前記操作入力と、を個別に行うための操作画面を、前記表示手段に表示させ、
前記制御手段は、
前記操作画面として、前記第１及び第２の利用者の画像と、前記第１の利用者の画像に施す補正処理の内容を選択するための第１の選択画面と、前記第２の利用者の画像に施す補正処理の内容を選択するための第２の選択画面とを、前記表示手段に表示させ、
前記第１の選択画面に対して行われる前記操作入力によって補正処理の内容が変更されるごとに、変更後の補正内容を前記第１の利用者の画像に反映して表示させ、
前記第２の選択画面に対して行われる前記操作入力によって補正処理の内容が変更されるごとに、変更後の補正内容を前記第２の利用者の画像に反映して表示させるように、前記表示手段を制御することを特徴とする遊戯用撮影方法。
【請求項７】
利用者を撮影する撮影手段と、撮影画像を表示する表示手段と、前記表示手段の表示画面に対して前記利用者が操作入力を行うための入力手段と、前記各手段を制御する制御手段と、を備えた装置の前記制御手段が実行するコンピュータプログラムであって、
前記撮影画像から、第１の利用者と第２の利用者を識別する識別処理と、
前記利用者の画像に施す補正処理の内容を選択するための前記操作入力に基づいて、前記第１及び第２の利用者ごとにその補正処理の内容を決定する決定処理と、
前記撮影手段による複数回の撮影によって得られた複数の前記撮影画像に含まれる前記利用者の画像のうち、前記第１の利用者の画像に、前記第１の利用者について決定した内容の補正処理を施し、前記第２の利用者の画像に、前記第２の利用者について決定した内容の補正処理を施す画像処理と、を含み、
前記制御手段は、前記決定処理において、
前記第１の利用者の画像に対する補正処理の内容を選択する前記操作入力と、前記第２の利用者の画像に対する補正処理の内容を選択する前記操作入力と、を個別に行うための操作画面を、前記表示手段に表示させ、
前記制御手段は、
前記操作画面として、前記第１及び第２の利用者の画像と、前記第１の利用者の画像に施す補正処理の内容を選択するための第１の選択画面と、前記第２の利用者の画像に施す補正処理の内容を選択するための第２の選択画面とを、前記表示手段に表示させ、
前記第１の選択画面に対して行われる前記操作入力によって補正処理の内容が変更されるごとに、変更後の補正内容を前記第１の利用者の画像に反映して表示させ、
前記第２の選択画面に対して行われる前記操作入力によって補正処理の内容が変更されるごとに、変更後の補正内容を前記第２の利用者の画像に反映して表示させるように、前記表示手段を制御することを特徴とするコンピュータプログラム。
【手続補正２】
【補正対象書類名】明細書
【補正対象項目名】０００９
【補正方法】変更
【補正の内容】
【０００９】
本発明は、利用者を撮影する撮影手段と、撮影画像を表示する表示手段と、前記表示手段の表示画面に対して前記利用者が操作入力を行うための入力手段と、前記各手段を制御する制御手段と、を備えた遊戯用撮影装置に関するものである。
そして、本発明では、前記制御手段が、前記撮影画像から、第１の利用者と第２の利用者を識別する識別処理と、前記利用者の画像に施す補正処理の内容を選択するための前記操作入力に基づいて、前記第１及び第２の利用者ごとにその補正処理の内容を決定する決定処理と、前記撮影手段による複数回の撮影によって得られた複数の前記撮影画像に含まれる前記利用者の画像のうち、前記第１の利用者の画像に、前記第１の利用者について決定した内容の補正処理を施し、前記第２の利用者の画像に、前記第２の利用者について決定した内容の補正処理を施す画像処理と、を実行する。
より具体的には、前記制御手段は、前記決定処理において、前記第１の利用者の画像に対する補正処理の内容を選択する前記操作入力と、前記第２の利用者の画像に対する補正処理の内容を選択する前記操作入力と、を個別に行うための操作画面を、前記表示手段に表示させる。
また、前記制御手段は、前記操作画面として、前記第１及び第２の利用者の画像と、前記第１の利用者の画像に施す補正処理の内容を選択するための第１の選択画面と、前記第２の利用者の画像に施す補正処理の内容を選択するための第２の選択画面とを、前記表示手段に表示させ、前記第１の選択画面に対して行われる前記操作入力によって補正処理の内容が変更されるごとに、変更後の補正内容を前記第１の利用者の画像に反映して表示させ、前記第２の選択画面に対して行われる前記操作入力によって補正処理の内容が変更されるごとに、変更後の補正内容を前記第２の利用者の画像に反映して表示させるように、前記表示手段を制御する。
【手続補正３】
【補正対象書類名】明細書
【補正対象項目名】００１０
【補正方法】変更
【補正の内容】
【００１０】
このような本発明の構成によれば、制御手段が、上記の識別処理、決定処理及び画像処理を実行するので、撮影画像に含まれる各利用者とその利用者のための補正処理の内容とを関連付けることができ、各々の利用者が所望する補正処理を撮影画像に含まれる当該利用者の画像に施すことができる。
【手続補正４】
【補正対象書類名】明細書
【補正対象項目名】００１１
【補正方法】変更
【補正の内容】
【００１１】
本発明によれば、各々の利用者が所望する補正処理を撮影画像に含まれる当該利用者の画像に施すことができるので、自身の画像に施す補正処理について、各利用者の意向を所定の撮影画像に対して簡単に反映させることができる、という効果を奏する。